(57)【要約】      （修正有）【課題】遠い距離と近い距離で照明を行う時に照明強度が調節可能な魚釣り用ＬＥＤライトを提供する。【解決手段】魚釣り用ＬＥＤライトにおいて、ボディー１と、ボディー１の頂壁にヒンジにより接続される密封蓋４を含み、ボディー１の中には上方に開口した観察空間２が設置され、密封蓋４の頂壁の中には上方に開口した装着溝が設置され、前記装着溝の中には移動できる固定ブロック１４が設置され、固定ブロック１４の中にはＬＥＤ照明ライト１０が設置され、固定ブロック１４の底壁の中には輝度調節装置が設置され、ボディー１の底壁の中には充電装置が設置される。固定ブロック１４を上下方向に移動させると、第一歯車１３と第一ラックの噛み合わせにより回転軸１２周りにＬＥＤ照明ライト１０の照明方向が変わると共に、第二歯車と第二ラックと回転カムにより導電ロッド１８が動き可変電気抵抗１６により、ＬＥＤ照明ライト１０の輝度が調整される。【選択図】図１
2020145171.tif 000002
【特許請求の範囲】
【請求項１】
ボディーと、前記ボディーの頂壁にヒンジにより接続される密封蓋を含み、前記ボディーの中には上方に開口した観察空間が設置され、前記密封蓋の頂壁の中には上方に開口した装着溝が設置され、前記装着溝の右側端壁の中には左方に開口したスライド穴が設置され、前記スライド穴の中にはスライドロッドがスライドできるように設置され、前記スライドロッドと前記スライド穴の右側端壁との間には第一押圧バネが弾性的に設置され、前記装着溝の中には移動できる固定ブロックが設置され、前記固定ブロックの中には照明装置が設置され、前記固定ブロックの底壁の中には下方に開口した第一伝動空間が設置され、前記第一伝動空間の中には輝度調節装置が設置され、前記密封蓋の頂壁には上下に貫通している観察穴が設置され、前記観察穴の中には観察装置が設置され、前記ボディーの底壁の中には充電装置が設置されることを特徴とする魚釣り用ＬＥＤライト。
【請求項２】
前記照明装置は前記固定ブロックの中に設置される開口している照明空間を含み、前記照明空間の中には前後へ伸びている第一回転軸が回転できるように設置され、前記第一回転軸の外表面にはＬＥＤ照明ライト及び前記ＬＥＤ照明ライトの前後両側に位置している第一歯車が固定的に設置され、前記第一歯車が前記密封蓋の頂壁に固定的に前後対称的に設置されている第一ラックと係合され、前記照明空間の底壁の中には透明ブロックが固定的に設置され、前記透明ブロックの片側端壁の中には第一通電ブロックが固定的に設置されることを特徴とする請求項１に記載の魚釣り用ＬＥＤライト。
【請求項３】
前記輝度調節装置は前記第一伝動空間の中に回転できるように設置されている第二回転軸を含み、前記第二回転軸の外表面には第二歯車及び前記第二歯車の片側に位置しているカムが固定的に設置され、前記第一伝動空間の片側端壁には第一導電ブロックが固定的に設置され、前記第一伝動空間の後側端壁には可変電気抵抗が固定的に設置され、前記第一伝動空間の中には前記第一導電ブロック及び前記可変電気抵抗と固定的に接続されている導電ロッドがスライドできるように設置され、前記固定ブロックの右側端壁の中には第一凹溝と第二凹溝とが設置され、前記装着溝の底壁の中には抜き穴が設置され、前記ボディーには前記第二歯車と噛み合う第二ラックが固定的に設置されることを特徴とする請求項１又は請求項２に記載の魚釣り用ＬＥＤライト。
【請求項４】
前記観察装置は前記観察穴の中に固定的に設置されているガラス板及び前記ガラス板の下方に位置している発散レンズを含み、前記観察孔の中にはリミットブロックがスライドできるように設置され、前記リミットブロックと前記観察穴の左側端壁との間には第三押圧バネが弾性的に設置されることを特徴とする請求項１又は請求項２又は請求項３に記載の魚釣り用ＬＥＤライト。
【請求項５】
前記充電装置は前記装着溝の中に上下へスライドできるように設置されている第二導電ブロックを含み、前記第二導電ブロックと前記装着溝の底壁との間には第四押圧バネが弾性的に設置され、前記装着溝の底壁には第二通電ブロックが固定的に設置され、前記第二通電ブロックには導線により外部電源コネクタが接続され、前記固定ブロックの中には前記第一通電ブロック及び前記第一導電ブロックと電気的に接続される蓄電池が設置されることを特徴とする請求項１又は請求項２又は請求項３又は請求項４に記載の魚釣り用ＬＥＤライト。
【発明の詳細な説明】
【技術分野】
【０００１】
本発明はＬＥＤ応用分野に関わり、具体的には魚釣り用ＬＥＤライトである。
【背景技術】
【０００２】
現代社会では、ＬＥＤライトの使用がますます頻繁になり、ＬＥＤライトは低エネルギー消費と長寿命の性質があるので各業界に応用されてくる。人が魚釣りの時に、安定に置かれ、且つ遠い距離の照明と近い距離の照明とが互いに交換可能に用いられる設備を必要となり、伝統的な魚釣り用ＬＥＤライトは遠い距離の照明と近い距離の照明との交換を行う時に照明強度を同時に調節できなく、遠い距離の照明の強度は人の角膜をやけどし、したがってある程度の欠点が存在している。
そのため、既存技術の中の魚釣り用ＬＥＤライトを更に改善する必要があり、それにより魚釣り用ＬＥＤライトの利便性と安全性を向上させる。
【先行技術文献】
【特許文献】
【０００３】
【特許文献１】中国特許出願公開第１０８３１７４６１号明細書
【発明の概要】
【発明が解決しようとする課題】
【０００４】
本発明は魚釣り用ＬＥＤライトを提供し、既存の技術にある上記欠点を解決し、設備の便利さと安全性を高めることを目的とする。
【課題を解決するための手段】
【０００５】
本発明の魚釣り用ＬＥＤライトは、ボディーと、前記ボディーの頂壁にヒンジにより接続される密封蓋を含み、前記ボディーの中には上方に開口した観察空間が設置され、前記密封蓋の頂壁の中には上方に開口した装着溝が設置され、前記装着溝の右側端壁の中には左方に開口したスライド穴が設置され、前記スライド穴の中にはスライドロッドがスライドできるように設置され、前記スライドロッドと前記スライド穴の右側端壁との間には第一押圧バネが弾性的に設置され、前記装着溝の中には移動できる固定ブロックが設置され、前記固定ブロックの中には照明装置が設置され、前記固定ブロックの底壁の中には下方に開口した第一伝動空間が設置され、前記第一伝動空間の中には輝度調節装置が設置され、前記密封蓋の頂壁には上下に貫通している観察穴が設置され、前記観察穴の中には観察装置が設置され、前記ボディーの底壁の中には充電装置が設置される。
【０００６】
前記照明装置は前記固定ブロックの中に設置される開口している照明空間を含み、前記照明空間の中には前後へ伸びている第一回転軸が回転できるように設置され、前記第一回転軸の外表面にはＬＥＤ照明ライト及び前記ＬＥＤ照明ライトの前後両側に位置している第一歯車が固定的に設置され、前記第一歯車が前記密封蓋の頂壁に固定的に前後対称的に設置されている第一ラックと係合され、前記照明空間の底壁の中には透明ブロックが固定的に設置され、前記透明ブロックの片側端壁の中には第一通電ブロックが固定的に設置される。
【０００７】
前記輝度調節装置は前記第一伝動空間の中に回転できるように設置されている第二回転軸を含み、前記第二回転軸の外表面には第二歯車及び前記第二歯車の片側に位置しているカムが固定的に設置され、前記第一伝動空間の片側端壁には第一導電ブロックが固定的に設置され、前記第一伝動空間の後側端壁には可変電気抵抗が固定的に設置され、前記第一伝動空間の中には前記第一導電ブロック及び前記可変電気抵抗と固定的に接続されている導電ロッドがスライドできるように設置され、前記固定ブロックの右側端壁の中には第一凹溝と第二凹溝とが設置され、前記装着溝の底壁の中には抜き穴が設置され、前記ボディーには前記第二歯車と噛み合う第二ラックが固定的に設置される。
【０００８】
好ましくは、前記観察装置は前記観察穴の中に固定的に設置されているガラス板及び前記ガラス板の下方に位置している発散レンズを含み、前記観察孔の中にはリミットブロックがスライドできるように設置され、前記リミットブロックと前記観察穴の左側端壁との間には第三押圧バネが弾性的に設置される。
【０００９】
好ましくは、前記充電装置は前記装着溝の中に上下へスライドできるように設置されている第二導電ブロックを含み、前記第二導電ブロックと前記装着溝の底壁との間には第四押圧バネが弾性的に設置され、前記装着溝の底壁には第二通電ブロックが固定的に設置され、前記第二通電ブロックには導線により外部電源コネクタが接続され、前記固定ブロックの中には前記第一通電ブロック及び前記第一導電ブロックと電気的に接続される蓄電池が設置される。
【発明の効果】
【００１０】
本発明の有益な効果は：本発明の魚釣り用ＬＥＤライトは整体構造がより合理で巧妙であり、使用にも非常に便利であり、魚釣りの時に釣り人に強い照明を提供できる上に、近い距離で照明する時に輝度を下げることもでき、釣り人の目を保護し、それと同時に設備はその中に設置されている観察空間に照明を提供でき、レンズを利用して光を発散でき、光が目に与える傷害を更に下げ、当該設備の操作が便利だけでなく安定性も高く、より高い使用と普及の価値がある。
【図面の簡単な説明】
【００１１】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得できる。
【００１２】
【図１】図１は本発明の魚釣り用ＬＥＤライトの全体構造概略図である。
【図２】図２は図１の中のＡ−Ａの構造概略図である。
【図３】図３は図１の中のＢの拡大構造概略図である。
【発明を実施するための形態】
【００１３】
本説明書に開示したすべての特徴、または開示したすべての方法または過程中のステップは、互いに排斥する特徴と／またはステップ以外に、いずれもあらゆる方式で組み合わせることができる。
【００１４】
本説明書に開示したすべての特徴は、特別な叙述を除いで、いずれもほかの同等または類似な目的を持つ代替特徴に替われることができ、すなわち、特別な叙述以外に、すべての特徴はただ一連の同等または類似な特徴の中の一例に過ぎない。
【００１５】
下記に図１−３を合わせて本発明を詳しく説明し、意思の疎通がもっと便利になるため、下記に記載した上下左右前後の方向と図１の自身の投影関係の上下左右前後の方向とは一致している。
【００１６】
図１−３に示すように、本発明の魚釣り用ＬＥＤライトは、ボディー１と、前記ボディー１の頂壁にヒンジにより接続される密封蓋４を含み、前記ボディー１の中には上方に開口した観察空間２が設置され、前記密封蓋４の頂壁の中には上方に開口した装着溝３６が設置され、前記装着溝３６の右側端壁の中には左方に開口したスライド穴２０が設置され、前記スライド穴２０の中にはスライドロッド２２がスライドできるように設置され、前記スライドロッド２２と前記スライド穴２０の右側端壁との間には第一押圧バネ２１が弾性的に設置され、前記装着溝３６の中には移動できる固定ブロック１４が設置され、前記固定ブロック１４の中には照明装置が設置され、前記固定ブロック１４の底壁の中には下方に開口した第一伝動空間３５が設置され、前記第一伝動空間３５の中には輝度調節装置が設置され、前記密封蓋４の頂壁には上下に貫通している観察穴８が設置され、前記観察穴８の中には観察装置が設置され、前記ボディー１の底壁の中には充電装置が設置される。
【００１７】
次に、図１−３を参考して本願の前記照明装置の具体的な構成を詳しく紹介し、その中には、前記照明装置は前記固定ブロック１４の中に設置される開口している照明空間１１を含み、前記照明空間１１の中には前後へ伸びている第一回転軸１２が回転できるように設置され、前記第一回転軸１２の外表面にはＬＥＤ照明ライト１０及び前記ＬＥＤ照明ライト１０の前後両側に位置している第一歯車１３が固定的に設置され、前記第一歯車１３が前記密封蓋４の頂壁に固定的に前後対称的に設置されている第一ラック７と係合され、前記照明空間１１の底壁の中には透明ブロック２９が固定的に設置され、前記透明ブロック２９の片側端壁の中には第一通電ブロック３０が固定的に設置される。
【００１８】
下記に、図１−３を合わせて本願の前記輝度調節装置の具体的な構成を詳しく紹介し、前記輝度調節装置は前記第一伝動空間３５の中に回転できるように設置されている第二回転軸３３を含み、前記第二回転軸３３の外表面には第二歯車３２及び前記第二歯車３２の片側に位置しているカム３４が固定的に設置され、前記第一伝動空間３５の片側端壁には第一導電ブロック１７が固定的に設置され、前記第一伝動空間３５の後側端壁には可変電気抵抗１６が固定的に設置され、前記第一伝動空間３５の中には前記第一導電ブロック１７及び前記可変電気抵抗１６と固定的に接続されている導電ロッド１８がスライドできるように設置され、前記固定ブロック１４の右側端壁の中には第一凹溝１９と第二凹溝２３とが設置され、前記装着溝３６の底壁の中には抜き穴３８が設置され、前記ボディー１には前記第二歯車３２と噛み合う第二ラック３７が固定的に設置される。
【００１９】
有益なように、図１−３に示すように、その中、前記観察装置は前記観察穴８の中に固定的に設置されているガラス板５及び前記ガラス板５の下方に位置している発散レンズ３を含み、前記観察孔８の中にはリミットブロック９がスライドできるように設置され、前記リミットブロック９と前記観察穴８の左側端壁との間には第三押圧バネ６が弾性的に設置される。
【００２０】
有益なように、図１−３に示すように、その中、前記充電装置は前記装着溝３６の中に上下へスライドできるように設置されている第二導電ブロック２８を含み、前記第二導電ブロック２８と前記装着溝３６の底壁との間には第四押圧バネ２７が弾性的に設置され、前記装着溝３６の底壁には第二通電ブロック２６が固定的に設置され、前記第二通電ブロック２６には導線２４により外部電源コネクタ２５が接続され、前記固定ブロック１４の中には前記第一通電ブロック３０及び前記第一導電ブロック１７と電気的に接続される蓄電池３１が設置される。
【００２１】
下記に、出願人は附図１−３及び上記に記載の本願の魚釣り用ＬＥＤライトの具体的な構成を参考して本願の使用方法を詳しく紹介する：
【００２２】
本発明の設備で魚を釣る時に、前記設備に外部電源コネクタ２５を通して通電し、前記固定ブロック１４を下へ押し、前記固定ブロック１４が下方へ移動して前記第二導電ブロック２８を連動させて前記第二通電ブロック２６と接触させ、この時に前記設備が前記外部電源コネクタ２５により前記蓄電池３１を充電し、前記スライドロッド２２が第一凹溝１９の中に引っかかり、前記固定ブロック１４がきつく引っかかり、それと同時に前記固定ブロック１４が前記第二歯車３２を連動させて下方へ移動させて前記第二ラック３７と噛み合わせ、この時に前記第二ラック３７が回転しながら前記カム３４を連動させて回転させ、前記カム３４が回転しながら前記導電ロッド１８を連動させて前記可変電気抵抗１６に沿って上方へ移動させ、この時に前記可変電気抵抗１６が照明回路にアクセスし抵抗値が下がり、前記ＬＥＤ照明ライト１０の輝度が増え、それにより魚釣りの時に大面積に照明することに便利であり、観察空間２の内部をチェックする必要がある時、前記固定ブロック１４を上方へ持ち上げ、この時に前記第二ラック３７が前記第二歯車３２を連動させて回転させ、前記第二歯車３２が回転しながら前記カム３４を連動させてリセットさせ、この時に前記導電ロッド１８が下方へ移動し、前記可変電気抵抗１６がアクセスし抵抗値が増え、前記ＬＥＤ照明ライト１０の輝度が下がり、そして前記固定ブロック１４を左方へプッシュし、前記固定ブロック１４が前記第一歯車１３を連動させて左方へ移動させて前記第一ラック７と噛み合わせ、前記第一ラック７が前記第一歯車１３を連動させて回転させ、前記第一歯車１３が前記第一ラック７の中間位置まで移動する時、前記ＬＥＤ照明ライト１０が鉛直下向きに照明し、この時前記光が前記発散レンズ３の作用のもとで四周に発散し、釣り人が前記観察空間２の中の状況を便利に観察できる。
【００２３】
上記の詳細な分析によりわかるのは：本発明の魚釣り用ＬＥＤライトは整体構造がより合理で巧妙であり、使用にも非常に便利であり、魚釣りの時に釣り人に強い照明を提供できる上に、近い距離で照明する時に輝度を下げることもでき、釣り人の目を保護し、それと同時に設備はその中に設置されている観察空間に照明を提供でき、レンズを利用して光を発散でき、光が目に与える傷害を更に下げ、当該設備の操作が便利だけでなく安定性も高く、より高い使用と普及の価値がある。
【００２４】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定した保護範囲に準じるベきである。
【図１】
2020145171.tif 000003
【図２】
2020145171.tif 000004
【図３】
2020145171.tif 000005
【手続補正書】
【提出日】令和1年7月17日(2019.7.17)
【手続補正１】
【補正対象書類名】特許請求の範囲
【補正対象項目名】全文
【補正方法】変更
【補正の内容】
【特許請求の範囲】
【請求項１】
ボディーと、前記ボディーの頂壁にヒンジにより接続される密封蓋を含み、前記ボディーの中には上方に開口した観察空間が設置され、前記密封蓋の頂壁の中には上方に開口した装着溝が設置され、前記装着溝の右側端壁の中には左方に開口したスライド穴が設置され、前記スライド穴の中にはスライドロッドがスライドできるように設置され、前記スライドロッドと前記スライド穴の右側端壁との間には第一押圧バネが弾性的に設置され、前記装着溝の中には移動できる固定ブロックが設置され、前記固定ブロックの中には照明装置が設置され、前記固定ブロックの底壁の中には下方に開口した第一伝動空間が設置され、前記第一伝動空間の中には輝度調節装置が設置され、前記密封蓋の頂壁には上下に貫通している観察穴が設置され、前記観察穴の中には観察装置が設置され、前記ボディーの底壁の中には充電装置が設置され、
前記照明装置は前記固定ブロックの中に設置される開口している照明空間を含み、前記照明空間の中には前後へ伸びている第一回転軸が回転できるように設置され、前記第一回転軸の外表面にはＬＥＤ照明ライト及び前記ＬＥＤ照明ライトの前後両側に位置している第一歯車が固定的に設置され、前記第一歯車が前記密封蓋の頂壁に固定的に前後対称的に設置されている第一ラックと係合され、前記照明空間の底壁の中には透明ブロックが固定的に設置され、前記透明ブロックの片側端壁の中には第一通電ブロックが固定的に設置され、
前記輝度調節装置は前記第一伝動空間の中に回転できるように設置されている第二回転軸を含み、前記第二回転軸の外表面には第二歯車及び前記第二歯車の片側に位置しているカムが固定的に設置され、前記第一伝動空間の片側端壁には第一導電ブロックが固定的に設置され、前記第一伝動空間の後側端壁には可変電気抵抗が固定的に設置され、前記第一伝動空間の中には前記第一導電ブロック及び前記可変電気抵抗と固定的に接続されている導電ロッドがスライドできるように設置され、前記固定ブロックの右側端壁の中には第一凹溝と第二凹溝とが設置され、前記スライドロッドは前記第一凹溝に滑り入った時に前記固定ブロックの移動を制限でき、前記ボディーには前記第二歯車と噛み合う第二ラックが固定的に設置され、
前記観察装置は前記観察穴の中に固定的に設置されているガラス板及び前記ガラス板の下方に位置している発散レンズを含み、前記観察穴の中には第一スライドブロックがスライドできるように設置され、前記第一スライドブロックと前記観察穴の左側端壁との間には第三押圧バネが弾性的に設置され、
前記充電装置は前記装着溝の中に上下へスライドできるように設置されている第二導電ブロックを含み、前記第二導電ブロックと前記装着溝の底壁との間には第四押圧バネが弾性的に設置され、前記装着溝の底壁には第二通電ブロックが固定的に設置され、前記第二通電ブロックには導線により外部電源コネクタが接続され、前記固定ブロックの中には前記第一通電ブロック及び前記第一導電ブロックと電気的に接続される蓄電池が設置され、
本発明の設備で魚を釣る時に、前記設備に外部電源コネクタを通して通電し、前記固定ブロックを下へ押し、前記固定ブロックが下方へ移動して前記第二導電ブロックを連動させて前記第二通電ブロックと接触させ、この時に前記設備が前記外部電源コネクタにより前記蓄電池を充電し、前記スライドロッドが第一凹溝の中に引っかかり、前記固定ブロックがきつく引っかかり、それと同時に前記固定ブロックが前記第二歯車を連動させて下方へ移動させて前記第二ラックと噛み合わせ、この時に前記第二ラックが回転しながら前記カムを連動させて回転させ、前記カムが回転しながら前記導電ロッドを連動させて前記可変電気抵抗に沿って上方へ移動させ、この時に前記可変電気抵抗が照明回路にアクセスし抵抗値が下がり、前記ＬＥＤ照明ライトの輝度が増え、それにより魚釣りの時に大面積に照明することに便利であり、観察空間の内部をチェックする必要がある時、前記固定ブロックを上方へ持ち上げ、この時に前記第二ラックが前記第二歯車を連動させて回転させ、前記第二歯車が回転しながら前記カムを連動させてリセットさせ、この時に前記導電ロッドが下方へ移動し、前記可変電気抵抗がアクセスし抵抗値が増え、前記ＬＥＤ照明ライトの輝度が下がり、そして前記固定ブロックを左方へプッシュし、前記固定ブロックが前記第一歯車を連動させて左方へ移動させて前記第一ラックと噛み合わせ、前記第一ラックが前記第一歯車を連動させて回転させ、前記第一歯車が前記第一ラックの中間位置まで移動する時、前記ＬＥＤ照明ライトが鉛直下向きに照明し、この時前記光が前記発散レンズの作用のもとで四周に発散し、釣り人が前記観察空間の中の状況を便利に観察できることを特徴とする魚釣り用ＬＥＤライト。
【手続補正２】
【補正対象書類名】明細書
【補正対象項目名】全文
【補正方法】変更
【補正の内容】
【発明の詳細な説明】
【技術分野】
【０００１】
本発明はＬＥＤ応用分野に関わり、具体的には魚釣り用ＬＥＤライトである。
【背景技術】
【０００２】
現代社会では、ＬＥＤライトの使用がますます頻繁になり、ＬＥＤライトは低エネルギー消費と長寿命の性質があるので各業界に応用されてくる。人が魚釣りの時に、安定に置かれ、且つ遠い距離の照明と近い距離の照明とが互いに交換可能に用いられる設備を必要となり、伝統的な魚釣り用ＬＥＤライトは遠い距離の照明と近い距離の照明との交換を行う時に照明強度を同時に調節できなく、遠い距離の照明の強度は人の角膜をやけどし、したがってある程度の欠点が存在している。
そのため、既存技術の中の魚釣り用ＬＥＤライトを更に改善する必要があり、それにより魚釣り用ＬＥＤライトの利便性と安全性を向上させる。
【先行技術文献】
【特許文献】
【０００３】
【特許文献１】中国特許出願公開第１０８３１７４６１号明細書
【発明の概要】
【発明が解決しようとする課題】
【０００４】
本発明は魚釣り用ＬＥＤライトを提供し、既存の技術にある上記欠点を解決し、設備の便利さと安全性を高めることを目的とする。
【課題を解決するための手段】
【０００５】
本発明の魚釣り用ＬＥＤライトは、ボディーと、前記ボディーの頂壁にヒンジにより接続される密封蓋を含み、前記ボディーの中には上方に開口した観察空間が設置され、前記密封蓋の頂壁の中には上方に開口した装着溝が設置され、前記装着溝の右側端壁の中には左方に開口したスライド穴が設置され、前記スライド穴の中にはスライドロッドがスライドできるように設置され、前記スライドロッドと前記スライド穴の右側端壁との間には第一押圧バネが弾性的に設置され、前記装着溝の中には移動できる固定ブロックが設置され、前記固定ブロックの中には照明装置が設置され、前記固定ブロックの底壁の中には下方に開口した第一伝動空間が設置され、前記第一伝動空間の中には輝度調節装置が設置され、前記密封蓋の頂壁には上下に貫通している観察穴が設置され、前記観察穴の中には観察装置が設置され、前記ボディーの底壁の中には充電装置が設置される。
【０００６】
前記照明装置は前記固定ブロックの中に設置される開口している照明空間を含み、前記照明空間の中には前後へ伸びている第一回転軸が回転できるように設置され、前記第一回転軸の外表面にはＬＥＤ照明ライト及び前記ＬＥＤ照明ライトの前後両側に位置している第一歯車が固定的に設置され、前記第一歯車が前記密封蓋の頂壁に固定的に前後対称的に設置されている第一ラックと係合され、前記照明空間の底壁の中には透明ブロックが固定的に設置され、前記透明ブロックの片側端壁の中には第一通電ブロックが固定的に設置される。
【０００７】
前記輝度調節装置は前記第一伝動空間の中に回転できるように設置されている第二回転軸を含み、前記第二回転軸の外表面には第二歯車及び前記第二歯車の片側に位置しているカムが固定的に設置され、前記第一伝動空間の片側端壁には第一導電ブロックが固定的に設置され、前記第一伝動空間の後側端壁には可変電気抵抗が固定的に設置され、前記第一伝動空間の中には前記第一導電ブロック及び前記可変電気抵抗と固定的に接続されている導電ロッドがスライドできるように設置され、前記固定ブロックの右側端壁の中には第一凹溝と第二凹溝とが設置され、前記スライドロッドは前記第一凹溝に滑り入った時に前記固定ブロックの移動を制限でき、前記ボディーには前記第二歯車と噛み合う第二ラックが固定的に設置される。
【０００８】
好ましくは、前記観察装置は前記観察穴の中に固定的に設置されているガラス板及び前記ガラス板の下方に位置している発散レンズを含み、前記観察穴の中には第一スライドブロックがスライドできるように設置され、前記第一スライドブロックと前記観察穴の左側端壁との間には第三押圧バネが弾性的に設置される。
【０００９】
好ましくは、前記充電装置は前記装着溝の中に上下へスライドできるように設置されている第二導電ブロックを含み、前記第二導電ブロックと前記装着溝の底壁との間には第四押圧バネが弾性的に設置され、前記装着溝の底壁には第二通電ブロックが固定的に設置され、前記第二通電ブロックには導線により外部電源コネクタが接続され、前記固定ブロックの中には前記第一通電ブロック及び前記第一導電ブロックと電気的に接続される蓄電池が設置される。
【発明の効果】
【００１０】
本発明の有益な効果は：本発明の魚釣り用ＬＥＤライトは整体構造がより合理で巧妙であり、使用にも非常に便利であり、魚釣りの時に釣り人に強い照明を提供できる上に、近い距離で照明する時に輝度を下げることもでき、釣り人の目を保護し、それと同時に設備はその中に設置されている観察空間に照明を提供でき、レンズを利用して光を発散でき、光が目に与える傷害を更に下げ、当該設備の操作が便利だけでなく安定性も高く、より高い使用と普及の価値がある。
【図面の簡単な説明】
【００１１】
本発明の実施例または既存の技術にある技術方案をよりはっきり説明できるため、下記に実施例または既存の技術を述べることに対して必要な附図を簡単に紹介する。明らかなように、下記に述べる附図はただ発明の一部分の実施例で、当業者にとって、創造的な労働を払わなくても、これらの附図に基づいてほかの附図を獲得できる。
【００１２】
【図１】図１は本発明の魚釣り用ＬＥＤライトの全体構造概略図である。
【図２】図２は図１の中のＡ−Ａの構造概略図である。
【図３】図３は図１の中のＢの拡大構造概略図である。
【発明を実施するための形態】
【００１３】
本説明書に開示したすべての特徴、または開示したすべての方法または過程中のステップは、互いに排斥する特徴と／またはステップ以外に、いずれもあらゆる方式で組み合わせることができる。
【００１４】
本説明書に開示したすべての特徴は、特別な叙述を除いで、いずれもほかの同等または類似な目的を持つ代替特徴に替われることができ、すなわち、特別な叙述以外に、すべての特徴はただ一連の同等または類似な特徴の中の一例に過ぎない。
【００１５】
下記に図１−３を合わせて本発明を詳しく説明し、意思の疎通がもっと便利になるため、下記に記載した上下左右前後の方向と図１の自身の投影関係の上下左右前後の方向とは一致している。
【００１６】
図１−３に示すように、本発明の魚釣り用ＬＥＤライトは、ボディー１と、前記ボディー１の頂壁にヒンジにより接続される密封蓋４を含み、前記ボディー１の中には上方に開口した観察空間２が設置され、前記密封蓋４の頂壁の中には上方に開口した装着溝３６が設置され、前記装着溝３６の右側端壁の中には左方に開口したスライド穴２０が設置され、前記スライド穴２０の中にはスライドロッド２２がスライドできるように設置され、前記スライドロッド２２と前記スライド穴２０の右側端壁との間には第一押圧バネ２１が弾性的に設置され、前記装着溝３６の中には移動できる固定ブロック１４が設置され、前記固定ブロック１４の中には照明装置が設置され、前記固定ブロック１４の底壁の中には下方に開口した第一伝動空間３５が設置され、前記第一伝動空間３５の中には輝度調節装置が設置され、前記密封蓋４の頂壁には上下に貫通している観察穴８が設置され、前記観察穴８の中には観察装置が設置され、前記ボディー１の底壁の中には充電装置が設置される。
【００１７】
次に、図１−３を参考して本願の前記照明装置の具体的な構成を詳しく紹介し、その中には、前記照明装置は前記固定ブロック１４の中に設置される開口している照明空間１１を含み、前記照明空間１１の中には前後へ伸びている第一回転軸１２が回転できるように設置され、前記第一回転軸１２の外表面にはＬＥＤ照明ライト１０及び前記ＬＥＤ照明ライト１０の前後両側に位置している第一歯車１３が固定的に設置され、前記第一歯車１３が前記密封蓋４の頂壁に固定的に前後対称的に設置されている第一ラック７と係合され、前記照明空間１１の底壁の中には透明ブロック２９が固定的に設置され、前記透明ブロック２９の片側端壁の中には第一通電ブロック３０が固定的に設置される。
【００１８】
下記に、図１−３を合わせて本願の前記輝度調節装置の具体的な構成を詳しく紹介し、前記輝度調節装置は前記第一伝動空間３５の中に回転できるように設置されている第二回転軸３３を含み、前記第二回転軸３３の外表面には第二歯車３２及び前記第二歯車３２の片側に位置しているカム３４が固定的に設置され、前記第一伝動空間３５の片側端壁には第一導電ブロック１７が固定的に設置され、前記第一伝動空間３５の後側端壁には可変電気抵抗１６が固定的に設置され、前記第一伝動空間３５の中には前記第一導電ブロック１７及び前記可変電気抵抗１６と固定的に接続されている導電ロッド１８がスライドできるように設置され、前記固定ブロック１４の右側端壁の中には第一凹溝１９と第二凹溝２３とが設置され、前記スライドロッド２２は前記第一凹溝１９に滑り入った時に前記固定ブロック１４の移動を制限でき、前記ボディー１には前記第二歯車３２と噛み合う第二ラック３７が固定的に設置される。
【００１９】
有益なように、図１−３に示すように、その中、前記観察装置は前記観察穴８の中に固定的に設置されているガラス板５及び前記ガラス板５の下方に位置している発散レンズ３を含み、前記観察穴８の中には第一スライドブロック９がスライドできるように設置され、前記第一スライドブロック９と前記観察穴８の左側端壁との間には第三押圧バネ６が弾性的に設置される。
【００２０】
有益なように、図１−３に示すように、その中、前記充電装置は前記装着溝３６の中に上下へスライドできるように設置されている第二導電ブロック２８を含み、前記第二導電ブロック２８と前記装着溝３６の底壁との間には第四押圧バネ２７が弾性的に設置され、前記装着溝３６の底壁には第二通電ブロック２６が固定的に設置され、前記第二通電ブロック２６には導線２４により外部電源コネクタ２５が接続され、前記固定ブロック１４の中には前記第一通電ブロック３０及び前記第一導電ブロック１７と電気的に接続される蓄電池３１が設置される。
【００２１】
下記に、出願人は附図１−３及び上記に記載の本願の魚釣り用ＬＥＤライトの具体的な構成を参考して本願の使用方法を詳しく紹介する：
【００２２】
本発明の設備で魚を釣る時に、前記設備に外部電源コネクタ２５を通して通電し、前記固定ブロック１４を下へ押し、前記固定ブロック１４が下方へ移動して前記第二導電ブロック２８を連動させて前記第二通電ブロック２６と接触させ、この時に前記設備が前記外部電源コネクタ２５により前記蓄電池３１を充電し、前記スライドロッド２２が第一凹溝１９の中に引っかかり、前記固定ブロック１４がきつく引っかかり、それと同時に前記固定ブロック１４が前記第二歯車３２を連動させて下方へ移動させて前記第二ラック３７と噛み合わせ、この時に前記第二ラック３７が回転しながら前記カム３４を連動させて回転させ、前記カム３４が回転しながら前記導電ロッド１８を連動させて前記可変電気抵抗１６に沿って上方へ移動させ、この時に前記可変電気抵抗１６が照明回路にアクセスし抵抗値が下がり、前記ＬＥＤ照明ライト１０の輝度が増え、それにより魚釣りの時に大面積に照明することに便利であり、観察空間２の内部をチェックする必要がある時、前記固定ブロック１４を上方へ持ち上げ、この時に前記第二ラック３７が前記第二歯車３２を連動させて回転させ、前記第二歯車３２が回転しながら前記カム３４を連動させてリセットさせ、この時に前記導電ロッド１８が下方へ移動し、前記可変電気抵抗１６がアクセスし抵抗値が増え、前記ＬＥＤ照明ライト１０の輝度が下がり、そして前記固定ブロック１４を左方へプッシュし、前記固定ブロック１４が前記第一歯車１３を連動させて左方へ移動させて前記第一ラック７と噛み合わせ、前記第一ラック７が前記第一歯車１３を連動させて回転させ、前記第一歯車１３が前記第一ラック７の中間位置まで移動する時、前記ＬＥＤ照明ライト１０が鉛直下向きに照明し、この時前記光が前記発散レンズ３の作用のもとで四周に発散し、釣り人が前記観察空間２の中の状況を便利に観察できる。
【００２３】
上記の詳細な分析によりわかるのは：本発明の魚釣り用ＬＥＤライトは整体構造がより合理で巧妙であり、使用にも非常に便利であり、魚釣りの時に釣り人に強い照明を提供できる上に、近い距離で照明する時に輝度を下げることもでき、釣り人の目を保護し、それと同時に設備はその中に設置されている観察空間に照明を提供でき、レンズを利用して光を発散でき、光が目に与える傷害を更に下げ、当該設備の操作が便利だけでなく安定性も高く、より高い使用と普及の価値がある。
【００２４】
上記は、ただ発明の具体的な実施方式であり、発明の保護範囲はこれに限定されるものではなく、創造的な労働を通さない場合で想到できるすべての変化または入れ替わりはいずれも発明の保護範囲に含むべきである。そのため、発明の保護範囲は請求項に限定した保護範囲に準じるベきである。
【手続補正３】
【補正対象書類名】図面
【補正対象項目名】図３
【補正方法】変更
【補正の内容】
【図３】
2020145171.tif 000006